(57)【要約】【課題】回路基板への挿入動作を円滑に進めることが可能な基板用端子を提供する。【解決手段】基板用端子１０は、回路基板９０の接続孔９１に挿入されて、回路基板９０に形成された導電部と電気的に接続される。基板用端子１０の接続孔９１への挿入方向の先端部の外周面には、先端側へ向けて窄まるように傾斜する斜面１７と、その斜面１７の先端に切欠状の段差なく連続してさらに先方へ突出する突出面２１とが設けられ、接続孔９１への挿入方向の最先端部が、突出面２１で構成された突部１９である。【選択図】図１
2015050117.tif 000002
【特許請求の範囲】
【請求項１】
回路基板の接続孔に挿入されて、前記回路基板に形成された導電部と電気的に接続される基板用端子であって、
前記接続孔への挿入方向の先端部の外周面には、先端側へ向けて窄まるように傾斜する斜面と、その斜面の先端に切欠状の段差なく連続してさらに先方へ突出する突出面とが設けられ、前記接続孔への挿入方向の最先端部が、前記突出面を有する突部で構成されていることを特徴とする基板用端子。
【請求項２】
前記突出面が、前記接続孔への挿入方向に沿った平面とされていることを特徴とする請求項１記載の基板用端子。
【請求項３】
前記接続孔への挿入方向の先端部の、前記挿入方向と直交する断面が、四角形をなし、前記突部が、角柱状をなしていることを特徴とする請求項１又は２記載の基板用端子。
【発明の詳細な説明】
【技術分野】
【０００１】
本発明は、回路基板に用いられる基板用端子に関する。
【背景技術】
【０００２】
特許文献１には、回路基板の接続孔に挿入されて回路基板の導電部（導電路）に半田付けにより接続される基板用端子が開示されている。この基板用端子の外周面には、接続孔への挿入方向の先端部に、先端へ向けて次第に窄まるテーパ面が設けられている。このため、基板用端子は、テーパ面によって回路基板の接続孔に円滑に挿入されるようになっている。
【先行技術文献】
【特許文献】
【０００３】
【特許文献１】特開２００９−２３０９４１号公報
【発明の概要】
【発明が解決しようとする課題】
【０００４】
上記従来の基板用端子の場合、テーパ面が異物との干渉によって傷付くことがあった。仮に、テーパ面が傷付いて切欠状の段差が生じると、基板用端子が回路基板の接続孔に挿入される際に、テーパ面の段差が回路基板に引っ掛かり、基板用端子の接続孔への挿入動作が円滑に進まないおそれがあった。
【０００５】
本発明は上記のような事情に基づいて完成されたものであって、回路基板の接続孔への挿入動作を円滑に進めることが可能な基板用端子を提供することを目的とする。
【課題を解決するための手段】
【０００６】
本発明は、回路基板の接続孔に挿入されて、前記回路基板に形成された導電部と電気的に接続される基板用端子であって、前記接続孔への挿入方向の先端部の外周面には、先端側へ向けて窄まるように傾斜する斜面と、その斜面の先端に切欠状の段差なく連続してさらに先方へ突出する突出面とが設けられ、前記接続孔への挿入方向の最先端部が、前記突出面を有する突部で構成されているところに特徴を有する。
【発明の効果】
【０００７】
基板用端子は斜面に案内されて回路基板の接続孔に挿入される。この場合に、基板用端子の最先端部が突部で構成され、突部が斜面の先端から先方に突出する位置に配置されているため、斜面が突部で保護された状態となり傷付くのが防止される。とくに、突部の突出面が斜面の先端に切欠状の段差なく連続してさらに先方へ突出する形態とされるため、斜面ばかりでなく斜面と突出面との間にも切欠状の段差が生じることがなく、基板用端子が回路基板の接続孔に挿入される際に、回路基板に基板用端子が引っ掛かるのが確実に防止される。その結果、回路基板の接続孔に対する基板用端子の挿入動作を円滑に進めることができる。
【図面の簡単な説明】
【０００８】
【図１】本発明の実施例１の基板用端子の部分拡大斜視図である。
【図２】回路基板の上方に配置された基板用コネクタの側面図である。
【図３】回路基板に取り付けられた基板用コネクタの側面図である。
【図４】基板用コネクタの正面図である。
【図５】連鎖状態にある基板用端子の展開図である。
【図６】比較例における他の基板用端子の部分拡大斜視図である。
【図７】回路基板の接続孔への挿入動作が規制される他の基板用端子の部分拡大側面図である。
【発明を実施するための形態】
【０００９】
本発明の好ましい形態を以下に示す。
前記突出面が、前記接続孔への挿入方向に沿った平面とされている。これにより、基板用端子が回路基板の接続孔に挿入される際に、突部の突出面が回路基板と干渉するのが回避され、基板用端子の挿入動作の円滑性が担保される。また、突部による斜面の保護機能も支障なく発揮される。
【００１０】
前記接続孔への挿入方向の先端部の、前記挿入方向と直交する断面が、四角形をなし、前記突部が、角柱状をなしている。基板用端子の先端部の断面が四角形をなすため、基板用端子が平板から容易に製造される。一方、基板用端子の先端部の断面が四角形をなす場合には、四つの斜面間を仕切る稜線部分が異物との干渉によって損傷し易いという事情がある。しかし、突部が角柱状をなすため、前記稜線部分も突部によって良好に保護され、斜面に加えて稜線部分も傷付くのが防止される。
【００１１】
＜実施例１＞
本発明の実施例１を図１〜図５によって説明する。実施例１の基板用端子１０は、基板用コネクタ６０のコネクタハウジング６１に装着された状態で、回路基板９０の接続されるものであって、全体として細長い角柱状をなしている。なお、以下の説明において、上下方向については、図２〜図４の各図を基準とし、回路基板９０の図示上面を表面とする。
【００１２】
コネクタハウジング６１は合成樹脂製であって、図３及び図４に示すように、前方に開口する角筒状のフード部６２を備えている。フード部６２の下面の後端部には、幅方向に一対の座部６３が設けられている。コネクタハウジング６１は、両座部６３が回路基板９０の表面に載せられた状態で、所定の固定手段を介して、回路基板９０に取り付け固定される。
【００１３】
基板用端子１０は、導電性の金属板を図５に示す形状に打ち抜いた後、キャリア部分７０から切り離され、曲げ加工等して一体に成形される。図２及び図３に示すように、基板用端子１０は、前後方向に沿って延出する水平部１１と、上下方向に沿って延出して水平部１１の後端に連なる垂直部１２とからなり、全体としてＬ字形に屈曲する形態とされている。水平部１１の延出方向の途中部分には、フード部６２の奥壁を貫通してこの奥壁に装着されるハウジング装着部１３が設けられている（図５を参照）。ハウジング装着部１３の両側縁には、奥壁内に食い込むように張り出す係止突起１４が設けられている。
【００１４】
基板用端子１０の水平部１１のうち、ハウジング装着部１３よりも前方の部分は、図４に示すように、フード部６２内に突出して配置され、この部分に、図示しない相手端子金具と接続可能な端子接続部１５が設けられている。なお、相手端子金具は図示しない相手ハウジングに装着され、相手ハウジングがフード部６２内に嵌合されるに伴い、相手端子金具が端子接続部１５に接続されるようになっている。また、実施例１の場合、フード部６２に装着される基板用端子１０は、長さを異にする複数種で構成され、長さの短いものを内側にして、奥壁に上下に分かれて配置される。
【００１５】
基板用端子１０の垂直部１２の下部には、図３に示すように、回路基板９０の接続孔９１に挿入されて、接続孔９１の内周等に形成された導電部に半田付けにより接続される基板接続部１６が設けられている。基板用端子１０の垂直部１２のうち、基板接続部１６よりも下方となる下端部（先端部）には、その外周面に、先端へ向けて次第に窄むテーパ状の斜面１７が設けられている。図１に示すように、斜面１７は、基板用端子１０の垂直部１２の断面（接続孔９１への挿入方向（上下方向）と直交する断面）が全体として四角形に形成されることに起因し、下端へ向けて次第に幅寸法を小さくする四面で構成され、隣接する面同士が稜線１８を挟んで互いに直交して配置されている。
【００１６】
また、図１に示すように、基板用端子１０の垂直部１２の最下部（最先端部）には、角柱状の突部１９が突出して設けられている。突部１９の突出量（上下寸法）は、斜面１７の上下寸法よりも充分に小さくされている。そして、突部１９は、斜面１７の下端（窄まり端）と対応するよう、垂直部１２の他の部分と相似の断面四角形、詳細には断面正方形をなし、斜面１７の下端と切欠状の段差なく連続する突出面２１を有している。この場合に、突出面２１は、接続孔９１への挿入方向に延出する、斜面１７の先端幅とほぼ同幅の平面とされ、上述の斜面１７間を仕切る稜線１８と連続する連続稜線２２を有している。突出面２１と斜面１７とは互いに鈍角に連なり、突部１９の下端面（突出端面）は、接続孔９１への挿入方向と直交する方向に沿った平坦面２３とされている。
【００１７】
次に、回路基板９０に対する基板用端子１０の接続について説明する。
図２から図４にかけて示すように、回路基板９０の表面に、基板用端子１０を装着した状態のコネクタハウジング６１が載せられる。この場合において、コネクタハウジング６１が下降する過程では、まず基板用端子１０の突部１９が回路基板９０の接続孔９１に先行して挿入される。このとき、突部１９が接続孔９１の孔径よりも充分小さい径で構成されているため、回路基板９０に突部１９が引っ掛かるようなことはまずない。
【００１８】
コネクタハウジング６１がさらに下降すると、基板用端子１０の突部１９を最初として斜面１７が回路基板９０の接続孔９１に挿入される。このとき、仮に、基板用端子１０の垂直部１２の軸心が接続孔９１の中心から位置ずれしていても、回路基板９０の表面における接続孔９１の開口縁部に斜面１７が摺動することで、接続孔９１に垂直部１２が円滑に挿入される。
【００１９】
図３に示すように、コネクタハウジング６１の両座部６３が回路基板９０の表面に当接する位置に至ると、突部１９及び斜面１７が回路基板９０の裏面側に抜け出て、回路基板９０の接続孔９１に垂直部１２の基板接続部１６が挿入される。その状態で、半田付けがなされ、基板接続部１６が回路基板９０に固定されるとともに回路基板９０の導電部に電気的に接続される。
【００２０】
ところで、仮に、図６に示すように、突部１９Ａの突出面２１Ａと斜面１７Ａとの間に、切欠状の段差２６が形成されている基板用端子１０Ａが用いられるとすると、図７に示すように、回路基板９０の表面における接続孔９１の開口縁部に段差２６が引っ掛かり、その引っ掛かり位置で接続孔９１に対する基板用端子１０Ａの挿入動作がいったん停止されるため、該挿入動作を円滑に進めることができない懸念がある。
【００２１】
その点、実施例１の基板用端子１０の場合、突部１９の突出面２１と斜面１７とが切欠状の段差なく連続する形態になっているため、回路基板９０の表面等に垂直部１２の下端部が引っ掛かることがなく、基板用端子１０の挿入動作を円滑に進めることができる。また、実施例１によれば、基板用端子１０の最下端部に突部１９が設けられ、この突部１９が斜面１７よりも下方に突出して配置されているため、斜面１７が突部１９によって外部異物から保護された状態に保たれる。よって、斜面１７が外部異物との干渉に起因して傷付くのが防止される。その結果、斜面１７の平面性が維持され、回路基板９０の表面等に斜面１７が引っ掛かることもない。
【００２２】
さらに、突部１９の突出面２１が接続孔９１への挿入方向に沿った平面とされるため、基板用端子１０が回路基板９０の接続孔９１に挿入される際に、突部１９の突出面２１が回路基板９０の表面等と干渉するおそれも少なく、基板用端子１０の挿入動作の円滑性が担保される。また、突出面２１が平面であれば、突部１９による斜面１７の保護機能も支障なく発揮される。
【００２３】
さらにまた、基板用端子１０の断面が四角形をなすため、基板用端子１０が金属板から容易に製造される一方、四つの斜面１７間を仕切る稜線１８が異物との干渉によって損傷し易いという事情があるものの、実施例１によれば、稜線１８と連続する連続稜線２２を有する角柱状の突部１９によって斜面１７の稜線１８が良好に保護された状態となり、斜面１７に加えて稜線１８の損傷も阻止される。
【００２４】
＜他の実施例＞
本発明は上記記述及び図面によって説明した実施例１に限定されるものではなく、例えば次のような態様も本発明の技術的範囲に含まれる。
（１）基板用端子は、全体としてＬ字形に屈曲するのではなく一直線状に延びる形態であってもよい。
（２）斜面は、同一のテーパ角で傾斜する場合に限らず、曲面状に傾斜する形態であってもよい。
【符号の説明】
【００２５】
１０…基板用端子
１１…水平部
１２…垂直部
１６…基板接続部
１７…斜面
１８…稜線
１９…突部
２１…突出面
２２…連続稜線
６０…基板用コネクタ
６１…コネクタハウジング
９０…回路基板
９１…接続孔
【図１】
2015050117.tif 000003
【図２】
2015050117.tif 000004
【図３】
2015050117.tif 000005
【図４】
2015050117.tif 000006
【図５】
2015050117.tif 000007
【図６】
2015050117.tif 000008
【図７】
2015050117.tif 000009